(57)【要約】  座席底部と、シートバックと、右アームレスト及び左アームレストと、を有する航空機乗客用座席。アームレストは、座席底部に取り付けるための、及びアームレストを構造アームレストパネル上に取り外し可能に配置するための構造アームレストアセンブリを備える。表面を被覆されたシュラウドは右アームレスト及び左アームレスト上に配置され、それらをカバーするように適合されている。シュラウドは必要に応じて容易に取り外され、また取り付けられる。【選択図】図１
2016539837.tif 000002
【特許請求の範囲】
【請求項１】
座席底部と、シートバックと、ヘッドレストと、シートフレームに取り付けられたレッグレストと、を備える座席であって、
（ａ）前記シートフレームのそれぞれ右手側及び左手側に取り付けられた右側アームレストパネル及び左側アームレストパネルと、
（ｂ）前記右側アームレストパネルを覆って配置された右側アームレストアセンブリ及び前記左側アームレストパネルを覆って配置された左側アームレストアセンブリと、
（ｃ）カバーが被覆された表面を備える、前記右側アームレストアセンブリ及び前記左側アームレストアセンブリと、
を備える、座席。
【請求項２】
前記右側アームレストアセンブリ及び前記左側アームレストアセンブリはそれぞれ、外部シュラウドと、内部アームレスト支持体と、を備え、前記外部シュラウドと前記内部アームレスト支持体とは、対応する右側アームレストパネル及び左側アームレストパネルに適合する中空構造を形成するようにともに入れ子状とされている、請求項１に記載の座席。
【請求項３】
前記シートフレームは、一対の外側に延出する右側アームレストブレースと、一対の外側に延出する左側アームレストブレースと、を備え、右側内部アームレスト支持体及び左側内部アームレスト支持体がそれぞれ、前記右側アームレストパネル及び前記左側アームレストパネルを取り付けるように対応するアームレストブレースと協働して適合された取り付け部材を有する、請求項１に記載の座席。
【請求項４】
右側アームレストブレース及び左側アームレストブレースは垂直に配向され、取り付け部材は、対応する前記右側アームレストブレース及び前記左側アームレストブレースに適合し、対応する前記右側アームレストブレース及び前記左側アームレストブレースによって支持されるように適合された、前記右側アームレストパネル及び前記左側アームレストパネル内の切り抜き部を備える、請求項１に記載の座席。
【請求項５】
前記右側アームレストパネル及び前記左側アームレストパネルはそれぞれ、前記対応する右側アームレストアセンブリ及び左側アームレストアセンブリを支持するための、上部範囲上に配置される支持板を備える、請求項１に記載の座席。
【請求項６】
座席底部と、シートバックと、ヘッドレストと、シートフレームに取り付けられたレッグレストと、を備える座席であって、
（ａ）前記シートフレームのそれぞれ右手側及び左手側に取り付けられた右側アームレストパネル及び左側アームレストパネルと、
（ｂ）前記右側アームレストパネルを覆って配置された右側アームレストアセンブリ及び前記左側アームレストパネルを覆って配置された左側アームレストアセンブリと、
（ｃ）カバーが被覆された表面を備える、前記右側アームレストアセンブリ及び前記左側アームレストアセンブリと、
を備え、
（ｄ）前記右側アームレストアセンブリ及び前記左側アームレストアセンブリはそれぞれ、外部シュラウドと、内部アームレスト支持体と、を備え、前記外部シュラウドと前記内部アームレスト支持体とは、対応する右側アームレストパネル及び左側アームレストパネルに適合する中空構造を形成するようにともに入れ子状とされ、
（ｅ）前記シートフレームは、一対の外側に延出する右側アームレストブレースと、一対の外側に延出する左側アームレストブレースと、を備え、右側内部アームレスト支持体及び左側内部アームレスト支持体がそれぞれ、前記右側アームレストパネル及び前記左側アームレストパネルを取り付けるように対応するアームレストブレースと協働して適合された取り付け部材を有し、
（ｆ）前記右側アームレストブレース及び前記左側アームレストブレースは垂直に配向され、前記取り付け部材は、対応する前記右側アームレストブレース及び前記左側アームレストブレースに適合し、対応する前記右側アームレストブレース及び前記左側アームレストブレースによって支持されるように適合された、前記右側アームレストパネル及び前記左側アームレストパネル内の切り抜き部を備える、
座席。
【請求項７】
前記右側アームレストパネル及び前記左側アームレストパネルはそれぞれ、前記対応する右側アームレストアセンブリ及び左側アームレストアセンブリを支持するための、上部範囲上に配置される支持板を備える、請求項６に記載の座席。
【請求項８】
修理又は交換のために取り外し可能な乗客座席用のアームレストを提供する方法であって、
（ａ）座席底部と、シートバックと、ヘッドレストと、シートフレームに取り付けられたレッグレストと、前記シートフレームのそれぞれ右手側及び左手側に取り付けられた右側アームレストパネル及び左側アームレストパネルと、前記右側アームレストパネルを覆って配置された右側アームレストアセンブリ及び前記左側アームレストパネルを覆って配置された左側アームレストアセンブリと、表面にカバーが被覆された表面を備える右側アームレストアセンブリ及び左側アームレストアセンブリと、を備える座席を提供するステップであって、
（ｂ）前記右側アームレストアセンブリ及び前記左側アームレストアセンブリがそれぞれ、外部シュラウドと、内部アームレスト支持体と、を備え、前記外部シュラウドと前記内部アームレスト支持体とが中空構造を形成するように入れ子状とされている、座席を提供するステップと、
（ｃ）前記外部シュラウド用の表面カバーを提供するステップと、
（ｄ）前記右側アームレストアセンブリ及び前記左側アームレストアセンブリを対応する前記右側アームレストパネル及び前記左側アームレストパネルを覆って取り付けるステップと、
を含む、方法。
【請求項９】
前記シートフレームは、複数の外側に延出する右側アームレストブレースと、複数の外側に延出する左側アームレストブレースと、を備え、右側内部アームレスト支持体及び左側内部アームレスト支持体はそれぞれ、前記右側アームレストパネル及び前記左側アームレストパネルを取り付けるように対応するアームレストブレースと協働して適合された取り付け部材を有する、請求項８に記載の方法。
【請求項１０】
前記右側アームレストブレース及び前記左側アームレストブレースは垂直に配向され、前記取り付け部材は、対応する前記右側アームレストブレース及び前記左側アームレストブレースに適合し、対応する前記右側アームレストブレース及び前記左側アームレストブレースによって支持されるように適合された、前記右側アームレストパネル及び左側アームレストパネル内の切り抜き部を備える、請求項９に記載の方法。
【請求項１１】
前記右側アームレストパネル及び前記左側アームレストパネルはそれぞれ、前記対応する右側アームレストアセンブリ及び左側アームレストアセンブリを支持するための、上部範囲上に配置される支持板を備える、請求項８に記載の方法。
【請求項１２】
前記右側アームレストアセンブリ及び前記左側アームレストアセンブリを、前記対応する右側アームレストパネル及び前記左側アームレストパネルから垂直方向上方に持ち上げることによって、前記右側アームレストアセンブリ及び前記左側アームレストアセンブリを、前記対応する右側アームレストパネル及び前記左側アームレストパネルから取り外すステップを含む、請求項８に記載の方法。
【発明の詳細な説明】
【技術分野】
【０００１】
関連出願の相互参照
本出願は、２０１３年１０月２１日に出願された米国仮特許出願第６１／８９３，４５１号明細書の優先権及び利益を主張するものであり、その内容は、特に、参照により本明細書中に組み込まれる。
【背景技術】
【０００２】
本発明は、航空機乗客座席用の取り外し可能なアームレストシュラウドに関する。座席用アームレストボックスは、通常、航空機用途のＣｏｍｅｘパネル、アルミニウムハニカム又は機械加工アルミニウムのいずれかから製造される。本出願の発明により、航空機シートフレームにパネル及び支持構造を取り付けることが可能になる。ボックス様構造、すなわち「シュラウド」は、次いで、頂部を覆って挿入され、構造アームレストを覆い、座席クッションマーク（ｓｅａｔ  ｃｕｓｈｉｏｎ  ｍａｒｋ）下のある位置にてねじで永久的に取り付けられる一方で、所定の位置にスナップ留め、クリック留め又は嵌合する連結箇所を有する。この構造により、アームレストシュラウドのカバーを、座席底部、シートバック及びヘッドレストの座席カバーから構造的に分離することが可能になる。これにより、完成した座席にカバーを取り付けるために現在必要とされている時間量及び複雑さを低減できる。
【０００３】
この手法での座席の設計、製造及び組立により、アームレストシュラウドのカバーを別個の取り外し可能な構成要素とすることが可能になる。加えて、別個に移動可能なシュラウドにより、座席が運び込まれ設置された後に、航空機から座席を取り外すことなく修理を行うことが可能になる。
【発明の概要】
【発明が解決しようとする課題】
【０００４】
したがって、本発明の目的は、アームレストの構造保全性を提供するシートフレームに内部アームレスト構造が取り付けられるように製造された航空機座席を提供することである。
【０００５】
本発明の別の目的は、内側パネル、外側パネル、頂部パネル、前部パネル及び後部パネルを有し、開いた底部を有するボックスを形成するアームレストシュラウドを備えた航空機座席を提供することである。
【０００６】
本発明の別の目的は、シュラウドを構造パネル上に滑らせ、構造アームレストに取り付けることを可能にする、開いた底部を有するアームレストシュラウドを備えた航空機座席を提供することである。
【０００７】
本発明の別の目的は、シュラウドを、構造アームレスト上に持ち上げ、カバーし、その後、構造アームレスト上に同じ手法で再び取り付けることができるという点で、取り外しが簡単なアームレストシュラウドを備えた航空機座席を提供することである。
【課題を解決するための手段】
【０００８】
本発明の１つの好適な実施形態によれば、座席底部と、シートバックと、ヘッドレストと、レッグレストと、を備える座席がシートフレームに取り付けられ、シートフレームのそれぞれ右手側及び左手側に取り付けられた右側アームレストパネル及び左側アームレストパネルと、右側アームレストパネルを覆って配置された右側アームレストアセンブリと、を含む。左側アームレストアセンブリは左側アームレストパネルを覆って配置されている。右側アームレストアセンブリ及び左側アームレストアセンブリはカバーが被覆された表面を備える。
【０００９】
本発明の別の実施形態によれば、右側アームレストアセンブリ及び左側アームレストアセンブリはそれぞれ、外部シュラウドと、内部アームレスト支持体と、を備える。外部シュラウドと内部アームレスト支持体とは、対応する右側アームレストパネル及び左側アームレストパネルに適合する中空構造を形成するようにともに入れ子状とされている。
【００１０】
本発明の別の実施形態によれば、シートフレームは、一対の外側に延出する右側アームレストブレースと、一対の外側に延出する左側アームレストブレースと、を備え、右側内部アームレスト支持体及び左側内部アームレスト支持体はそれぞれ、右側アームレストパネル及び左側アームレストパネルを取り付けるように対応するアームレストブレースと協働して適合された取り付け部材を有する。
【００１１】
本発明の別の実施形態によれば、右側アームレストブレース及び左側アームレストブレースは垂直に配向され、取り付け部材は、対応する右側アームレストブレース及び左側アームレストブレースに適合し、対応する右側アームレストブレース及び左側アームレストブレースによって支持されるように適合された、右側アームレストパネル及び左側アームレストパネル内の切り抜き部を備える。
【００１２】
本発明の別の実施形態によれば、右側アームレストパネル及び左側アームレストパネルはそれぞれ、対応する右側アームレストアセンブリ及び左側アームレストアセンブリを支持するための、上部範囲（ｕｐｐｅｒ  ｅｘｔｅｎｔ）上に配置される支持板を備える。
【００１３】
本発明の別の実施形態によれば、座席底部と、シートバックと、ヘッドレストと、シートフレームに取り付けられたレッグレストと、を備える座席が設けられ、シートフレームのそれぞれ右手側及び左手側に取り付けられた右側アームレストパネル及び左側アームレストパネルを含む。右側アームレストアセンブリが右側アームレストパネルを覆って配置され、左側アームレストアセンブリが左側アームレストパネルを覆って配置される。右側アームレストアセンブリ及び左側アームレストアセンブリはカバーが被覆された表面を含む。右側アームレストアセンブリ及び左側アームレストアセンブリにはそれぞれ、外部シュラウドと、内部アームレスト支持体と、が設けられ、外部シュラウドと内部アームレスト支持体とは、対応する右側アームレストパネル及び左側アームレストパネルに適合する中空構造を形成するようにともに入れ子状とされる。シートフレームは、一対の外側に延出する右側アームレストブレースと、一対の外側に延出する左側アームレストブレースと、を備える。右側内部アームレスト支持体及び左側内部アームレスト支持体はそれぞれ、右側アームレストパネル及び左側アームレストパネルを取り付けるように対応するアームレストブレースと協働して適合された取り付け部材を有する。右側アームレストブレース及び左側アームレストブレースは垂直に配向され、取り付け部材は、対応する右側アームレストブレース及び左側アームレストブレースに適合し、対応する右側アームレストブレース及び左側アームレストブレースによって支持されるように適合された、右側アームレストパネル及び左側アームレストパネル内の切り抜き部を備える。
【００１４】
本発明の別の実施形態によれば、右側アームレストパネル及び左側アームレストパネルはそれぞれ、対応する右側アームレストアセンブリ及び左側アームレストアセンブリを支持するための、上部範囲上に配置される支持板を備える。
【００１５】
本発明の別の実施形態によれば、修理又は交換のために取り外し可能な乗客座席用のアームレストを提供する方法が提供され、座席底部と、シートバックと、ヘッドレストと、シートフレームに取り付けられたレッグレストと、シートフレームのそれぞれ右手側及び左手側に取り付けられた右側アームレストパネル及び左側アームレストパネルと、右側アームレストパネルを覆って配置された右側アームレストアセンブリと、左側アームレストパネルを覆って配置された左側アームレストアセンブリと、を備える座席を提供するステップを含む。右側アームレストアセンブリ及び左側アームレストアセンブリはカバーに被覆された表面を含む。右側アームレストアセンブリ及び左側アームレストアセンブリはそれぞれ、外部シュラウドと内部アームレスト支持体とを備え、外部シュラウドと内部アームレスト支持体とが中空構造を形成するようにともに入れ子状とされている。方法ステップは、また、外部シュラウド用の表面カバーを提供するステップと、右側アームレストアセンブリ及び左側アームレストアセンブリを、対応する右側アームレストパネル及び左側アームレストパネルを覆って取り付けるステップと、を含む。
【００１６】
本発明の別の実施形態によれば、シートフレームは、複数の外側に延出する右側アームレストブレースと、複数の外側に延出する左側アームレストブレースと、を備え、右側内部アームレスト支持体及び左側内部アームレスト支持体はそれぞれ、右側アームレストパネル及び左側アームレストパネルを取り付けるように対応するアームレストブレースと協働して適合された取り付け部材を有する。
【００１７】
本発明の別の実施形態によれば、右側アームレストブレース及び左側アームレストブレースは垂直に配向され、取り付け部材は、対応する右側アームレストブレース及び左側アームレストブレースに適合し、対応する右側アームレストブレース及び左側アームレストブレースによって支持されるように適合された、右側アームレストパネル及びアームレストパネル内の切り抜き部を備える。
【００１８】
本発明の別の実施形態によれば、右側アームレストパネル及び左側アームレストパネルはそれぞれ、対応する右側アームレストアセンブリ及び左側アームレストアセンブリを支持するための、上部範囲上に配置される支持板を備える。
【００１９】
本発明の別の実施形態によれば、方法は、右側アームレストアセンブリ及び左側アームレストアセンブリを、対応する右側アームレストパネル及び左側アームレストパネルから垂直方向上方に持ち上げることによって、右側アームレストアセンブリ及び左側アームレストアセンブリを、対応する右側アームレストパネル及び左側アームレストパネルから取り外すステップを含む。
【００２０】
本発明は、添付の図面を参照しながら、以下の、本発明の詳細な説明を読むと最も良く理解される。
【図面の簡単な説明】
【００２１】
【図１】本発明の一実施形態による座席の斜視図である。
【図２】アームレストパネルアセンブリへのアームレストシェルアセンブリの取り付けを示す、図１に示される座席の分解図である。
【図３】本発明の一実施形態によるアームレストパネルの斜視図である。
【図４】座席構造へのアームレストパネルの取り付けを示す、座席の斜視図である。
【図５】組み立て前の右手側アームレストシェルアセンブリ及びアームレストシュラウドを示す斜視図である。
【図６】アームレストパネル上への左側アームレストシェル及びシュラウドの設置を示す斜視図である。
【図７】バックレストシェルアセンブリを示す部分分解斜視図である。
【発明を実施するための形態】
【００２２】
ここで図面を具体的に参照すると、図１及び図２に、本発明の一実施形態による座席１０が示され、右側アームレストアセンブリ１２及び左側アームレストアセンブリ１４と、バックレストアセンブリ１６と、ヘッドレストアセンブリ１８と、バックレストビーム２０と、を含む。図２に示すように、ヘッドレストアセンブリ１８はバックレストアセンブリ１６の上部に取り付けられ、バックレストアセンブリ１６はバックレストビーム２０を覆って配置されている。右側アームレストアセンブリ１２は右側アームレストパネル２２を覆って下に摺動する。同様に、図６に最も良く示されるように、左側アームレストアセンブリ１４は左側アームレストパネル４８を覆って下方に摺動する。
【００２３】
座席１０は、示されるような引込位置と、外側及び上向きに延出し展開した使用位置との間において選択的に動くように取り付けられた、シートパン３０及びレッグレスト３２も含む。座席１０は、航空機の床に取り付けられたトラック取付具に取り付けるための足に適応させた脚３４を含む。
【００２４】
ここで図３を参照すると、右側アームレストパネル２２は、右側アームレストパネル２２の上端部に位置し、重量支持を提供するために側方内側に延出する、アームレスト支持板４０を含む。アームレストパネル２２は、ＤｕＰｏｎｔにより登録商標Ｃｏｍｅｘで販売されているような、耐燃性メタアラミド材料で作製される。アームレストパネル２２は、締結具４４のような締結具を受け入れるための、適切なアクセス穴４２を含む。
【００２５】
図４に示すように、左側アームレストパネル４８は、シートフレーム５０によって支持されるアームレストブレース５６に、締結具５４を用いて取り付けることによって、シートフレーム５０に取り付けられる。右側アームレストパネル２２は、同じ手法でシートフレーム５０に取り付けられる。図２を参照のこと。
【００２６】
ここで図２及び図６を参照すると、アームレストアセンブリ１２は、シュラウド６０及びアームレスト支持体７０から形成される。シュラウド６０は、携帯電話やその他電子機器、雑誌、又は小衣類やその他身の回り品を保管するための場所を座席乗員に提供するためのポケット６２を含む。アームレスト支持体７０はアームレストパネル２２に取り付けられる。アームレスト支持体７０の上部のフランジ７２はアームレストシュラウド６０の上部を支持する。重量の低減を提供するために穴７４が形成され、アームレスト支持体７０の前方端部にある開口部７６が座席制御部の設置を可能にする。開口部７８は、シートパン３０、レッグレスト３２及びバックレスト１６のリクライニング機構を作動させるための押しボタンの設置を可能にする。アームレスト支持体７０の底部にあるテーパ状の切り抜き部８０、８２は、アームレスト支持体７０を覆ってシュラウド６０を取り付けることを容易にするために提供される。
【００２７】
右側アームレストパネル２２及び左側アームレストパネル４８がフレーム５０上に取り付けられ、右側アームレストアセンブリ１２及び左側アームレストアセンブリ１４が図示されるように組み立てられた後、図６に示すように、シュラウド６０を含む右側アームレストアセンブリ１２は右側アームレスト支持体７０上に取り付けられる。右側アームレストアセンブリ１２はすでにその使用位置にある状態で示され、左アームレストパネルアセンブリ１４は左側アームレストパネル４８上に下ろされている状態として示される。
【００２８】
バックレストアセンブリ１６は、バックレストカバー９０と、ヘッドレストガイド及びベゼル９２とを、右側バックレストフレーム９４及び左側バックレストフレーム９６とともに含む。穴９８は、シートフレーム５０の一部であるバックレストビーム２０との組み立てのために使用される。バックレストアセンブリ１６は、リベット穴１００、重量低減用穴１０２も含む。バックレストフレーム９４及び９６は、フランジ９４Ａ、９６Ａを含み、フランジ９４Ａ、９６Ａの上にカバーが取り付けられる。重量低減用穴９４Ｂ、９６Ｂもそれぞれバックレストフレーム９４及び９６内に設けられる。上記と同様に、必要に応じ、取り外し、修理又は交換のために、シートバックを覆って配置するための取り外し可能なシュラウド（図示せず）を提供してもよい。
【００２９】
特定の実施形態及び例を参照しながら本発明による航空機座席用の取り外し可能なアームレストシュラウドについて記載してきた。本発明の種々の詳細は本発明の範囲から逸脱することなく変更してもよい。更に、本発明の好適な実施形態及び本発明を実施するための最良の態様の前述の記載は、単に説明する目的で提供され、特許請求の範囲によって定義される本発明を限定する目的のためではない。
【図１】
2016539837.tif 000003
【図２】
2016539837.tif 000004
【図３】
2016539837.tif 000005
【図４】
2016539837.tif 000006
【図５】
2016539837.tif 000007
【図６】
2016539837.tif 000008
【図７】
2016539837.tif 000009
【手続補正書】
【提出日】平成28年7月11日(2016.7.11)
【手続補正１】
【補正対象書類名】特許請求の範囲
【補正対象項目名】全文
【補正方法】変更
【補正の内容】
【特許請求の範囲】
【請求項１】
座席底部と、シートバックと、ヘッドレストと、シートフレームに取り付けられたレッグレストと、を備える座席であって、
（ａ）前記シートフレームのそれぞれ右手側及び左手側に取り付けられた右側アームレストパネル及び左側アームレストパネルと、
（ｂ）前記右側アームレストパネルを覆って配置された右側アームレストアセンブリ及び前記左側アームレストパネルを覆って配置された左側アームレストアセンブリと、
を備えており、
（ｃ）前記右側アームレストアセンブリ及び前記左側アームレストアセンブリは、カバーが被覆された表面を備える、
座席。
【請求項２】
前記右側アームレストアセンブリ及び前記左側アームレストアセンブリはそれぞれ、外部シュラウドと、内部アームレスト支持体と、を備え、前記外部シュラウドと前記内部アームレスト支持体とは、対応する右側アームレストパネル及び左側アームレストパネルに適合する中空構造を形成するようにともに入れ子状とされている、請求項１に記載の座席。
【請求項３】
前記シートフレームは、一対の外側に延出する右側アームレストブレースと、一対の外側に延出する左側アームレストブレースと、を備え、右側の前記内部アームレスト支持体及び左側の前記内部アームレスト支持体がそれぞれ、前記右側アームレストパネル及び前記左側アームレストパネルを取り付けるように対応するアームレストブレースと協働して適合された取り付け部材を有する、請求項２に記載の座席。
【請求項４】
前記右側アームレストブレース及び前記左側アームレストブレースは垂直に配向され、取り付け部材は、対応する前記右側アームレストブレース及び前記左側アームレストブレースに適合し、対応する前記右側アームレストブレース及び前記左側アームレストブレースによって支持されるように適合された、前記右側アームレストパネル及び前記左側アームレストパネル内の切り抜き部を備える、請求項３に記載の座席。
【請求項５】
前記右側アームレストパネル及び前記左側アームレストパネルはそれぞれ、前記対応する右側アームレストアセンブリ及び左側アームレストアセンブリを支持するための、上部範囲上に配置される支持板を備える、請求項１〜４のいずれか一項に記載の座席。
【請求項６】
修理又は交換のために取り外し可能な乗客座席用のアームレストを提供する方法であって、
（ａ）請求項２〜５のいずれか一項に記載の座席を提供するステップと、
（ｂ）前記外部シュラウド用の表面カバーを提供するステップと、
（ｃ）前記右側アームレストアセンブリ及び前記左側アームレストアセンブリを対応する前記右側アームレストパネル及び前記左側アームレストパネルを覆って取り付けるステップと、
を含む、方法。
【請求項７】
前記右側アームレストアセンブリ及び前記左側アームレストアセンブリを、前記対応する右側アームレストパネル及び前記左側アームレストパネルから垂直方向上方に持ち上げることによって、前記右側アームレストアセンブリ及び前記左側アームレストアセンブリを、前記対応する右側アームレストパネル及び前記左側アームレストパネルから取り外すステップを含む、請求項６に記載の方法。
【手続補正２】
【補正対象書類名】明細書
【補正対象項目名】００２６
【補正方法】変更
【補正の内容】
【００２６】
ここで図２及び図５を参照すると、アームレストアセンブリ１２は、シュラウド６０及びアームレスト支持体７０から形成される。シュラウド６０は、携帯電話やその他電子機器、雑誌、又は小衣類やその他身の回り品を保管するための場所を座席乗員に提供するためのポケット６２を含む。アームレスト支持体７０はアームレストパネル２２に取り付けられる。アームレスト支持体７０の上部のフランジ７２はアームレストシュラウド６０の上部を支持する。重量の低減を提供するために穴７４が形成され、アームレスト支持体７０の前方端部にある開口部７６が座席制御部の設置を可能にする。開口部７８は、シートパン３０、レッグレスト３２及びバックレスト１６のリクライニング機構を作動させるための押しボタンの設置を可能にする。アームレスト支持体７０の底部にあるテーパ状の切り抜き部８０、８２は、アームレスト支持体７０を覆ってシュラウド６０を取り付けることを容易にするために提供される。
【手続補正３】
【補正対象書類名】明細書
【補正対象項目名】００２９
【補正方法】変更
【補正の内容】
【００２９】
特定の実施形態及び例を参照しながら本発明による航空機座席用の取り外し可能なアームレストシュラウドについて記載してきた。本発明の種々の詳細は本発明の範囲から逸脱することなく変更してもよい。更に、本発明の好適な実施形態及び本発明を実施するための最良の態様の前述の記載は、単に説明する目的で提供され、特許請求の範囲によって定義される本発明を限定する目的のためではない。
以下の項目は、国際出願時の請求の範囲に記載の要素である。
（項目１）
座席底部と、シートバックと、ヘッドレストと、シートフレームに取り付けられたレッグレストと、を備える座席であって、
（ａ）前記シートフレームのそれぞれ右手側及び左手側に取り付けられた右側アームレストパネル及び左側アームレストパネルと、
（ｂ）前記右側アームレストパネルを覆って配置された右側アームレストアセンブリ及び前記左側アームレストパネルを覆って配置された左側アームレストアセンブリと、
（ｃ）カバーが被覆された表面を備える、前記右側アームレストアセンブリ及び前記左側アームレストアセンブリと、
を備える、座席。
（項目２）
前記右側アームレストアセンブリ及び前記左側アームレストアセンブリはそれぞれ、外部シュラウドと、内部アームレスト支持体と、を備え、前記外部シュラウドと前記内部アームレスト支持体とは、対応する右側アームレストパネル及び左側アームレストパネルに適合する中空構造を形成するようにともに入れ子状とされている、項目１に記載の座席。
（項目３）
前記シートフレームは、一対の外側に延出する右側アームレストブレースと、一対の外側に延出する左側アームレストブレースと、を備え、右側内部アームレスト支持体及び左側内部アームレスト支持体がそれぞれ、前記右側アームレストパネル及び前記左側アームレストパネルを取り付けるように対応するアームレストブレースと協働して適合された取り付け部材を有する、項目１に記載の座席。
（項目４）
右側アームレストブレース及び左側アームレストブレースは垂直に配向され、取り付け部材は、対応する前記右側アームレストブレース及び前記左側アームレストブレースに適合し、対応する前記右側アームレストブレース及び前記左側アームレストブレースによって支持されるように適合された、前記右側アームレストパネル及び前記左側アームレストパネル内の切り抜き部を備える、項目１に記載の座席。
（項目５）
前記右側アームレストパネル及び前記左側アームレストパネルはそれぞれ、前記対応する右側アームレストアセンブリ及び左側アームレストアセンブリを支持するための、上部範囲上に配置される支持板を備える、項目１に記載の座席。
（項目６）
座席底部と、シートバックと、ヘッドレストと、シートフレームに取り付けられたレッグレストと、を備える座席であって、
（ａ）前記シートフレームのそれぞれ右手側及び左手側に取り付けられた右側アームレストパネル及び左側アームレストパネルと、
（ｂ）前記右側アームレストパネルを覆って配置された右側アームレストアセンブリ及び前記左側アームレストパネルを覆って配置された左側アームレストアセンブリと、
（ｃ）カバーが被覆された表面を備える、前記右側アームレストアセンブリ及び前記左側アームレストアセンブリと、
を備え、
（ｄ）前記右側アームレストアセンブリ及び前記左側アームレストアセンブリはそれぞれ、外部シュラウドと、内部アームレスト支持体と、を備え、前記外部シュラウドと前記内部アームレスト支持体とは、対応する右側アームレストパネル及び左側アームレストパネルに適合する中空構造を形成するようにともに入れ子状とされ、
（ｅ）前記シートフレームは、一対の外側に延出する右側アームレストブレースと、一対の外側に延出する左側アームレストブレースと、を備え、右側内部アームレスト支持体及び左側内部アームレスト支持体がそれぞれ、前記右側アームレストパネル及び前記左側アームレストパネルを取り付けるように対応するアームレストブレースと協働して適合された取り付け部材を有し、
（ｆ）前記右側アームレストブレース及び前記左側アームレストブレースは垂直に配向され、前記取り付け部材は、対応する前記右側アームレストブレース及び前記左側アームレストブレースに適合し、対応する前記右側アームレストブレース及び前記左側アームレストブレースによって支持されるように適合された、前記右側アームレストパネル及び前記左側アームレストパネル内の切り抜き部を備える、
座席。
（項目７）
前記右側アームレストパネル及び前記左側アームレストパネルはそれぞれ、前記対応する右側アームレストアセンブリ及び左側アームレストアセンブリを支持するための、上部範囲上に配置される支持板を備える、項目６に記載の座席。
（項目８）
修理又は交換のために取り外し可能な乗客座席用のアームレストを提供する方法であって、
（ａ）座席底部と、シートバックと、ヘッドレストと、シートフレームに取り付けられたレッグレストと、前記シートフレームのそれぞれ右手側及び左手側に取り付けられた右側アームレストパネル及び左側アームレストパネルと、前記右側アームレストパネルを覆って配置された右側アームレストアセンブリ及び前記左側アームレストパネルを覆って配置された左側アームレストアセンブリと、表面にカバーが被覆された表面を備える右側アームレストアセンブリ及び左側アームレストアセンブリと、を備える座席を提供するステップであって、
（ｂ）前記右側アームレストアセンブリ及び前記左側アームレストアセンブリがそれぞれ、外部シュラウドと、内部アームレスト支持体と、を備え、前記外部シュラウドと前記内部アームレスト支持体とが中空構造を形成するように入れ子状とされている、座席を提供するステップと、
（ｃ）前記外部シュラウド用の表面カバーを提供するステップと、
（ｄ）前記右側アームレストアセンブリ及び前記左側アームレストアセンブリを対応する前記右側アームレストパネル及び前記左側アームレストパネルを覆って取り付けるステップと、
を含む、方法。
（項目９）
前記シートフレームは、複数の外側に延出する右側アームレストブレースと、複数の外側に延出する左側アームレストブレースと、を備え、右側内部アームレスト支持体及び左側内部アームレスト支持体はそれぞれ、前記右側アームレストパネル及び前記左側アームレストパネルを取り付けるように対応するアームレストブレースと協働して適合された取り付け部材を有する、項目８に記載の方法。
（項目１０）
前記右側アームレストブレース及び前記左側アームレストブレースは垂直に配向され、前記取り付け部材は、対応する前記右側アームレストブレース及び前記左側アームレストブレースに適合し、対応する前記右側アームレストブレース及び前記左側アームレストブレースによって支持されるように適合された、前記右側アームレストパネル及び左側アームレストパネル内の切り抜き部を備える、項目９に記載の方法。
（項目１１）
前記右側アームレストパネル及び前記左側アームレストパネルはそれぞれ、前記対応する右側アームレストアセンブリ及び左側アームレストアセンブリを支持するための、上部範囲上に配置される支持板を備える、項目８に記載の方法。
（項目１２）
前記右側アームレストアセンブリ及び前記左側アームレストアセンブリを、前記対応する右側アームレストパネル及び前記左側アームレストパネルから垂直方向上方に持ち上げることによって、前記右側アームレストアセンブリ及び前記左側アームレストアセンブリを、前記対応する右側アームレストパネル及び前記左側アームレストパネルから取り外すステップを含む、項目８に記載の方法。
【国際調査報告】
2016539837.tif 000010